(57)【要約】【課題】  構造物入口の防水装置において、入口を塞ぐ防水手段を、非常時だけに止まらず、平時においても門扉として兼用可能とすることで、従来の収納場所確保の問題を解決できるようにする。【解決手段】  構造物Ｂの入口Ｉを横切る方向に伸縮して該入口Ｉを開閉し得る門扉Ｔと、この門扉Ｔを起立状態に支持すると共にその伸縮を案内する案内支持機構Ｇと、その門扉Ｔの少なくとも外方側を覆っていて該門扉Ｔの収縮動作に応じて折畳まれ、伸長動作に応じて展開する可撓性の防水シートＳとを備え、門扉Ｔの伸長により展開状態となった防水シートＳにより入口Ｉを塞いで、該入口Ｉから構造物Ｂ内への水の流入を防止可能とする。【選択図】    図１
2005350901.tif 000002
【特許請求の範囲】
【請求項１】
構造物（Ｂ）の入口（Ｉ）を横切る方向に伸縮して該入口（Ｉ）を開閉し得る門扉（Ｔ）と、この門扉（Ｔ）を起立状態に支持すると共にその伸縮を案内する案内支持機構（Ｇ）と、その門扉（Ｔ）の少なくとも外方側を覆っていて該門扉（Ｔ）の収縮動作に応じて折畳まれ、伸長動作に応じて展開する可撓性の防水シート（Ｓ）とを備え、
前記門扉（Ｔ）の伸長により展開状態となった前記防水シート（Ｓ）により前記入口（Ｉ）を塞いで、該入口（Ｉ）から構造物（Ｂ）内への水の流入を防止できるようにしたことを特徴とする、構造物における防水装置。
【請求項２】
前記案内支持機構（Ｇ）は、前記門扉（Ｔ）の伸縮軌跡に沿って入口（Ｉ）の地面（Ｅ）に凹設される収納溝（４）と、この収納溝（４）内に突き出すように前記門扉（Ｔ）の下端より下方に延設される支持脚（７）と、この支持脚（７）に回転自在に支持される車輪（Ｗ）と、この車輪（Ｗ）を転動可能に係合させるべく前記収納溝（４）内に敷設される支持レール（５）と、前記門扉（Ｔ）が収縮して前記入口（Ｉ）が開放状態にあるときに前記収納溝（４）の開口部を閉塞する蓋板（６）とを備えることを特徴とする、請求項１に記載の構造物における防水装置。
【請求項３】
前記門扉（Ｔ）には、それが伸長して前記入口（Ｉ）を閉じているときに前記蓋板（６）を該門扉（Ｔ）に着脱可能に連結し得る連結手段（Ｊ）が設けられることを特徴とする、請求項２に記載の構造物における防水装置。
【請求項４】
前記防水シート（Ｓ）の、構造物（Ｂ）外方側の側壁部（Ｓｏ）は、その構造物（Ｂ）外の地面（Ｅ）に自由端が接離可能に当接し得るように下方に延出しており、その延出部（Ｓｅ）は、平時は上方に折り返されて該側壁部（Ｓｏ）に着脱可能に係合されることを特徴とする、請求項１〜３の何れかに記載の構造物における防水装置。
【請求項５】
前記防水シート（Ｓ）の外面には、通行人に見せるための表示部（Ｍ）が付されることを特徴とする、請求項１〜４の何れかに記載の構造物における防水装置。
【発明の詳細な説明】
【技術分野】
【０００１】
本発明は、各種ビル、地下鉄、地下街、地下道、地下駐車場、塀等の構造物において、その入口から構造物内への水の流入を防止するための防水装置に関する。
【背景技術】
【０００２】
近年、都市部等の一部地域における集中豪雨、洪水等に因り、ビル、地下鉄、地下街、地下道、地下駐車場、塀等の構造物内にその入口から水が急激に流入、浸水して多大の被害を及ぼすケースが問題となっている。
【０００３】
このような構造物入口からの水の急激な流入に対しては、土嚢の積み上げ等の対策では間に合わない場合が多く、そこで上記構造物の入口に、これを横切るように防水板を取付けできるようにした防水装置が、例えば特許文献１に記載されるように既に提案されている。
【特許文献１】特開平２００１−９８７９２号公報
【発明の開示】
【発明が解決しようとする課題】
【０００４】
ところが従来の上記防水板は、非常時しか使用しないものであったため、平時の収納保管場所の確保が問題であった。
【０００５】
本発明は、斯かる事情に鑑みてなされたものにおいて、非常時だけに止まらず、平時においても門扉として兼用可能とすることで、従来の上記問題を解決した構造物における防水装置を提供することを目的としている。
【課題を解決するための手段】
【０００６】
上記目的を達成するために請求項１の発明は、構造物の入口を横切る方向に伸縮して該入口を開閉し得る門扉と、この門扉を起立状態に支持すると共にその伸縮を案内する案内支持機構と、その門扉の少なくとも外方側を覆っていて該門扉の収縮動作に応じて折畳まれ、伸長動作に応じて展開する可撓性の防水シートとを備え、前記門扉の伸長により展開状態となった前記防水シートにより前記入口を塞いで、該入口から構造物内への水の流入を防止できるようにしたことを特徴とする。
【０００７】
また請求項２の発明は、請求項１の上記特徴に加えて、前記案内支持機構が、前記門扉の伸縮軌跡に沿って入口の地面に凹設される収納溝と、この収納溝内に突き出すように前記門扉の下端より下方に延設される支持脚と、この支持脚に回転自在に支持される車輪と、この車輪を転動可能に係合させるべく前記収納溝内に敷設される支持レールと、前記門扉が収縮して前記入口が開放状態にあるときに前記収納溝の開口部を閉塞する蓋板とを備えることを特徴とする。
【０００８】
また請求項３の発明は、請求項２の上記特徴に加えて、前記門扉には、それが伸長して前記入口を閉じているときに前記蓋板を該門扉に着脱可能に連結し得る連結手段が設けられることを特徴とする。
【０００９】
また請求項４の発明は、請求項１〜３の何れかの上記特徴に加えて、前記防水シートの、構造物外方側の側壁部は、その構造物外の地面に自由端が接離可能に当接し得るように下方に延出しており、その延出部が、平時は上方に折り返されて該側壁部に着脱可能に係合されることを特徴とする。
【００１０】
また請求項５の発明は、請求項１〜４の何れかの上記特徴に加えて、前記防水シートの外面には、通行人に見せるための表示部が付されることを特徴とする。
【発明の効果】
【００１１】
以上のように本発明によれば、構造物の入口を横切る方向に伸縮して該入口を開閉し得る門扉と、この門扉を起立状態に支持すると共にその伸縮を案内する案内支持機構と、その門扉の少なくとも外方側を覆っていて門扉の収縮動作に応じて折畳まれ、伸長動作に応じて展開する可撓性の防水シートとを備えるので、非常時には、門扉の伸長により展開状態となった防水シートで入口を塞いで、該入口から構造物内への水の流入を防止でき、また平時は上記門扉により入口を開閉して人や車の進入等をコントロールできる。このように上記門扉を、非常時には防水シートと協働する防水手段に、また平時は入口の開閉手段にそれぞれ兼用できるから、防水手段の保管場所を別途確保する必要がなく、管理が容易である上、非常時の対応を簡単且つ迅速に行うことができ、全体として防水装置の構造簡素化と利便性向上に大いに寄与することができる。
【００１２】
また特に請求項２の発明によれば、案内支持機構が、門扉の伸縮軌跡に沿って入口の地面に凹設される収納溝と、この収納溝内に突き出すように門扉の下端より下方に延設される支持脚と、この支持脚に回転自在に支持される車輪と、この車輪を転動可能に係合させるべく収納溝内に敷設される支持レールと、門扉が収縮して前記入口が開放状態にあるときに収納溝の開口部を閉塞する蓋板とを備えるので、門扉の開閉移動（伸縮動作）を案内支持機構によりスムーズに案内支持することができて、その開閉操作が容易である。また門扉の開放状態では収納溝が蓋板で覆われるから、収納溝内の案内支持機構に塵埃や砂利等が付着するのを効果的に防止できて、案内支持機構の作動が円滑に保たれる。
【００１３】
また特に請求項３の発明によれば、門扉には、それが伸長して入口を閉じているときに前記蓋板を該門扉に着脱可能に連結し得る連結手段が設けられるので、蓋板を門扉に対する補強手段に兼用でき、従って、構造簡素化を図りながら、門扉に大きな水圧にも耐えられる十分な剛性強度を付与することができる。また平時であっても、門扉の閉成状態で不要となる蓋板を門扉に保持させることにより、蓋板の保管管理が簡便となるから、蓋板の保管場所を特別に確保する必要がない。
【００１４】
また特に請求項４の発明によれば、防水シートの、構造物外方側の側壁部は、その構造物外の地面に自由端が接離可能に当接し得るように下方に延出しており、その延出部が、平時は上方に折り返されて該側壁部に着脱可能に係合されるので、非常時には上記延出部を地面に垂らすことで、防水シート下端と地面との隙間を有効にシールすることができ、また平時は上記延出部を折り返し状態に保持することで、その自由端が地面と必要以上に擦れて摩耗するのを回避することができる。
【００１５】
また特に請求項５の発明によれば、防水シートの外面には、通行人に見せるための表示部が付されるので、防水シートを、通行人等に対する案内手段や宣伝広告手段に兼用できて便利である。
【発明を実施するための最良の形態】
【００１６】
本発明の実施の形態を、添付図面に例示した本発明の実施例に基づいて以下に具体的に説明する。
【００１７】
添付図面において、図１〜図９は本発明の実施例を示すものであって、図１は、防水装置を示す全体斜視図、図２は、防水装置の正面図（図１の２矢視図）、図３は、図２の３−３線拡大断面図、図４は、平時における防水装置の閉じ状態と開放状態を示す概略正面図、図５は、図４の５−５線拡大断面図、図６は、大雨時等における防水装置の閉じ状態を示す要部正面図、図７は、図６の７−７線拡大断面図、図８は、図６の８−８線拡大断面図である。また図９は、防水シートの可動端部の変形例を示す斜視図であって、（ａ）はシート側方延長部の折り畳み状態を、また（ｂ）はシート側方延長部の展開状態をそれぞれ示している。
【００１８】
先ず、図１〜図７において、構造物としての建物の塀Ｂの入口Ｉには、本発明の防水装置Ａが設けられ、集中豪雨、洪水等の非常時に外部から入口Ｉを通して建物の塀Ｂ内に水が流入するのを防止できるようになっており、また平時においてもその防水装置Ａが門扉として兼用できるようになっている。
【００１９】
前記防水装置Ａは、構造物Ｂの入口Ｉを横切る方向に伸縮可能であり且つその伸縮により入口Ｉを開閉し得るように配置されたな門扉Ｔと、この門扉Ｔをその何れの開閉位置においても起立状態に支持すると共にその伸縮を案内する案内支持機構Ｇと、その門扉Ｔを覆っていて該門扉Ｔの収縮動作に応じて蛇腹状に折畳まれ、伸長動作に応じて展開する可撓性の防水シートＳとを備える。そして、門扉Ｔの伸長により展開状態となった前記防水シートＳにより入口Ｉを塞いで、該入口Ｉから構造物Ｂ内への水の流入を防止できるようになっている。
【００２０】
前記門扉Ｔは、基本的に縦長の矩形状に形成された金属フレーム枠より構成されて門扉Ｔの伸縮方向に並列する多数の支柱Ｐ1 〜ＰN と、隣り合う支柱Ｐ1 ，Ｐ2 ；Ｐ2 ，Ｐ3 ；・・・間を相互に接近・離間可能に枢支連結するパンタグラフ式のリンク機構１・・・とを備えており、これは、一般家庭や駐車場等の入口を開閉するために使用される従来周知の蛇腹式の門扉と同様の構造であるので、これ以上の詳細な説明は省略する。
【００２１】
門扉Ｔの固定端となる一端側の支柱ＰN は、建物の塀Ｂの、入口Ｉにおける一側部Ｂａに固定されている。また門扉Ｔの可動端となる他端側の支柱Ｐ1 には、開閉操作用の把手１０が一体的に設けられている。更にその他端側の支柱Ｐ1 は、建物の塀Ｂの、入口Ｉにおける他側部Ｂｂに固定した連結枠Ｐｆに接離可能となっており、その支柱ＰN と連結枠Ｐｆとの間には、その間を任意にロック可能なロック手段Ｌが設けられる。尚、そのロック手段Ｌとしては、前記従来周知の蛇腹式門扉のロックに用いられるロック手段と同様の構造のものが使用される。
【００２２】
前記防水シートＳとしては、水を通さない水密な合成樹脂製シートが用いられ、これを横断面逆Ｕ字状に折り曲げて、門扉Ｔにその上方から覆い被せるようにする。そして、そのセット状態で該シートＳは、各支柱Ｐ1 〜ＰN の外形に倣って、横断面が略逆Ｕ字状となる。
【００２３】
その防水シートＳの相対向する一対の側壁部Ｓｉ，Ｓｏは、各支柱Ｐ1 〜ＰN の外側部にボルト等の結合手段１１でそれぞれ結合されており、これにより、該シートＳの側壁部Ｓｉ，Ｓｏは、門扉Ｔの収縮動作に応じて蛇腹状に折畳まれ、また伸長動作に応じてその伸長方向に展開して略平坦となる。尚、その防水シートＳには、その内方側壁部Ｓｉと上壁部Ｓｕと外方側壁部Ｓｏとに亘って、該シートＳを蛇腹状に折り畳み易くするための折り目が、相隣なる支柱Ｐ1 〜ＰN の各中間位置に対応してそれぞれ付されている。
【００２４】
防水シートＳの、塀Ｂ外方側の側壁部Ｓｏの下端は、その塀Ｂ外の地面Ｅに自由端が接離可能に当接し得るように下方に延出しており、その延出部Ｓｅは、平時は上方に折り返されて該側壁部Ｓｏに着脱可能に係合（図示例では、対をなすベロクロファスナ２ａ，２ｂを介して結合）される。従って、非常時には、図７に示すように上記延出部Ｓｅを地面Ｅに垂らすことで、防水シートＳの下端と地面Ｅとの隙間を有効にシールすることができ、また平時には、図３に示すようには上記延出部Ｓｅを折り返し状態に保持することで、その自由端が地面Ｅと必要以上に擦れて摩耗するのを回避することができる。
【００２５】
また図４に明示したように、防水シートＳの外面には、通行人や通孔車両に見せるための表示部Ｍ、例えば案内用又は宣伝広告用の図柄や文字が、印刷、塗装、貼付その他の手法で一体的に付されている。
【００２６】
前記案内支持機構Ｇは、門扉Ｔの伸縮軌跡に沿って入口Ｉの地面Ｅに凹設される直線状の収納溝４と、この収納溝４内に突き出すように少なくとも一部の支柱Ｐ2 ，Ｐ5 ・・の下端部より下方に延設される前後一対の支持脚７と、それら支持脚７にそれぞれ水平軸線回りに回転自在に支持される車輪Ｗと、この車輪Ｗを転動自在に係合させるべく収納溝４内の底面に敷設される支持レール５と、門扉Ｔが収縮して入口Ｉが開放状態にあるときに収納溝４の開口部を閉塞する蓋板６とを備えている。
【００２７】
前後の各支持脚７は、収納溝４の相対向する前後の内側壁４ｉにそれぞれ摺動可能に当接しており、この当接により門扉Ｔの起立姿勢が安定よく保たれ、非常時等においても門扉Ｔの前後への倒れが効果的に防止できる。尚、図示例のように車輪Ｗの支持脚７を収納溝４の内側壁４ｉに摺動可能に当接させる代わりに、少なくとも一部の支柱Ｐ1 〜ＰN と一体に設けた支持部材（図示せず）を収納溝４の内側壁４ｉに摺動可能に当接させたり或いは該支持部材に鉛直軸線回りに回転自在に支持した車輪（図示せず）を収納溝４の内側壁４ｉに転動可能に係合させたりして、門扉Ｔを起立姿勢に安定よく保持するようにしてもよい。
【００２８】
前記蓋板６は、帯板状の蓋板本体６ｍと、その蓋板本体６ｍの幅方向両側縁に一体に連設されてそれぞれ下方に延びる一対のフランジ部６ｆ，６ｆとにより、横断面が扁平なコ字状に形成されている。その蓋板本体６ｍは、収納溝４内面の適所に設けた蓋受け部（図示せず）及び／又は支持レール５の上面に載置、支持されて、収納溝４の開口部を閉塞する閉塞位置に保持される。そして、その保持状態で蓋板６は、図５に示すように、蓋板本体６ｍの平坦な上面が入口Ｉの地面Ｅと同一レベルにあって、地面Ｅの一部を構成しており、人や車両の通行の障害となることはない。尚、前記蓋板６は、これを一個の長い板体より構成してもよいし、或いは、該蓋板６の長手方向に縦列可能な複数の蓋板要素より分割構成してもよい。
【００２９】
門扉Ｔには、それが伸長して入口Ｉを閉じているときに蓋板６を門扉Ｔに着脱可能に連結し得る連結手段Ｊが設けられる。この連結手段Ｊは、少なくとも一部の支柱Ｐ1 〜ＰN の上下中間部にそれぞれ固設されたＬ字状フック片８…より構成され、これらフック片８…は、防水シートＳの、塀Ｂ内方側の側壁部Ｓｉを貫通して、その外側に突出している。而して、これらフック片８…に蓋板６を橋渡すように係合、支持させることにより、蓋板６が門扉Ｔに一体的に保持される。
【００３０】
次に前記実施例の作用を説明する。図４に示すように、平時において、門扉Ｔは、これを収縮させることで建物の塀Ｂの入口Ｉを開放することができ、また伸長させることで同入口Ｉを閉成することができる。そして、門扉Ｔを覆っている可撓性の防水シートＳは、門扉Ｔの収縮に応じて蛇腹状に折畳まれ、また門扉Ｔの伸長に応じて展開する。
【００３１】
この場合において、門扉Ｔの収縮状態（入口Ｉの開放状態）では、該門扉Ｔの案内支持機構Ｇを収納する収納溝４の開口部が蓋板６で塞がれ、該蓋板６は地面Ｅの一部となって歩行の障害とはなる心配はない。
【００３２】
また門扉Ｔの伸長状態（入口Ｉの閉成状態）では、その可動端となる支柱ＰN が塀Ｂの入口Ｉにおける他側部Ｂｂに固設した連結枠Ｐｆにロック手段Ｌを介して連結、施錠される。また収納溝４より取り外され不要となった蓋板６は、これが門扉Ｔの連結手段Ｊ（複数のＬ字状フック片８…）に係合されることで門扉Ｔに一体的に保持され、これにより門扉Ｔが補強される。また、このとき、防水シートＳの外面に案内用又は宣伝広告用の表示部Ｍが付されておれば、防水シートＳを、通行人等に対する案内手段や宣伝広告手段に兼用できて便利である。
【００３３】
また集中豪雨、洪水等に因り建物の塀Ｂの入口Ｉへ多量の水が急激に侵入する虞れがある非常時には、前記したような平時における入口Ｉの閉成時と同様、門扉Ｔを伸長状態とし、その可動端となる支柱ＰN を塀Ｂの入口他側部Ｂｂに固設した連結枠Ｐｆにロック手段Ｌを介して連結、施錠する。そして、図７に示すように、収納溝４より取り外した蓋板６を門扉Ｔの連結手段Ｊに係合させて門扉Ｔに一体的に保持させることにより、門扉Ｔに対し大きな水圧にも耐えられる十分な剛性強度を付与することができる。
【００３４】
さらに防水シートＳの、塀Ｂ外方側の側壁部Ｓｏの下端に連設した延出部Ｓｅを地面Ｅに垂らすようにして、防水シートＳの下端と地面Ｅとの隙間をシールする。
【００３５】
また図６，８から明らかなように、防水シートＳの可動端と塀Ｂの入口他側部Ｂｂとの間を、その間に跨がるように覆い被せた帯状のシートＳ′（図４）でシールする。
【００３６】
尚、このような帯状シートＳ′を用いる代わりに、図９に示すように、防水シートＳの側壁部Ｓｏの可動端に側方延出部Ｓｅ′を一体に連設し、その側方延出部Ｓｅ′を展開することにより（図９の（ｂ）を参照）、防水シートＳの可動端と塀Ｂの入口他側部Ｂｂとの間をそれぞれシールするようにしてもよい。この場合、その側方延出部Ｓｅ′は、前記下方延出部Ｓｅと同様、平時は内側に折り返されてシート側壁部Ｓｏに着脱可能に係合させるようにすれば（図９の（ａ）を参照）、該側方延出部Ｓｅ′が妄りにばたついたり他物と擦れる心配がない。
【００３７】
而して、伸長状態の門扉Ｔに支持されて塀Ｂの入口Ｉを堰止めるように配置される防水シートＳにより、塀Ｂの入口Ｉから建物の塀Ｂ内へ水が流入するのを防止でき、従って、その入口Ｉに専用の防水手段を特別に設置する必要がなくなる。
【００３８】
またこのように門扉Ｔを、非常時には防水シートＳと協働する防水手段に、また平時は入口Ｉの開閉手段にそれぞれ兼用できることから、防水装置Ａの保管場所を別途確保する必要がなく、管理が容易である上、非常時の対応を簡単且つ迅速に行うことができ、全体として防水装置Ａの構造簡素化と利便性向上が図られる。
【００３９】
また図示例では、門扉Ｔの開閉移動（伸縮動作）を案内支持機構Ｇによりスムーズに案内支持することができて、その開閉操作が容易である。また門扉Ｔの収縮状態（入口Ｉの開放状態）で収納溝４が蓋板６で覆われるから、収納溝４内の案内支持機構Ｇに塵埃や砂利等が付着するのを効果的に防止できて、案内支持機構Ｇの作動を常に円滑に保つことができる。
【００４０】
さらに図示例では、門扉Ｔに、それが伸長して入口Ｉを閉じているときに蓋板６を門扉Ｔに着脱可能に連結し得る連結手段Ｊが設けられているので、蓋板６が門扉Ｔに対する補強手段に兼用できて構造簡素化が図られ、しかも門扉Ｔに対し大きな水圧にも耐えられる十分な剛性強度を付与することができる。また平時であっても、門扉Ｔの閉成状態で収納溝４から取り外される蓋板６を門扉Ｔに保持させることにより、蓋板Ｔの保管管理が簡便となるから、蓋板６の保管場所を特別に確保する必要がない。
【００４１】
以上、本発明の実施例について説明したが、本発明はその実施例に限定されることなく、本発明の範囲内で種々の実施例が可能である。例えば、前記実施例では、構造物として建物の塀Ｂを示したが、本発明は、その他の構造物、例えば地下街、地下道、地下駐車場等の入口にも実施可能である。
【００４２】
また前記実施例では、防水シートＳを、門扉Ｔの前後両側及び上側を覆うべく断面逆Ｕ字状に形成したものを示したが、本発明の防水シートＳは、その防水機能が発揮できる必要最小限の形態、例えば門扉Ｔの少なくとも塀Ｂ外方側の側面を覆う形態（即ち前記実施例の防水シートＳの内方側の側壁部Ｓｉや上壁部Ｓｕを省略して、外方側の側壁部Ｓｏのみに相当する形態）としてもよい。
【図面の簡単な説明】
【００４３】
【図１】本発明の実施例に係る防水装置を示す全体斜視図
【図２】前記防水装置の正面図（図１の２矢視図）
【図３】図２の３−３線拡大断面図
【図４】平時における防水装置の閉じ状態と開放状態を示す概略正面図
【図５】図４の５−５線拡大断面図
【図６】大雨時等における防水装置の閉じ状態を示す要部正面図
【図７】図６の７−７線拡大断面図
【図８】図６の８−８線拡大断面図
【図９】防水シートの可動端部の変形例を示す斜視図であって、（ａ）はシート側方延長部の折り畳み状態を、また（ｂ）はシート側方延長部の展開状態をそれぞれ示す
【符号の説明】
【００４４】
Ａ・・・防水装置
Ｂ・・・塀（構造物）
Ｅ・・・地面
Ｇ・・・案内支持機構
Ｉ・・・入口
Ｊ・・・連結手段
Ｍ・・・表示部
Ｓ・・・防水シート
Ｓｏ・・側壁部
Ｓｅ・・延出部
Ｔ・・・門扉
Ｗ・・・車輪
４・・・収納溝
５・・・支持レール
６・・・蓋板
７・・・支持脚
【図１】
2005350901.tif 000003
【図２】
2005350901.tif 000004
【図３】
2005350901.tif 000005
【図４】
2005350901.tif 000006
【図５】
2005350901.tif 000007
【図６】
2005350901.tif 000008
【図７】
2005350901.tif 000009
【図８】
2005350901.tif 000010
【図９】
2005350901.tif 000011